(57)【要約】      （修正有）【課題】高いところであっても、物品を吊り下げやすい引掛けフックを提供する。【解決手段】逆Ｊ字状の第１のフック２０と、第１のフックとは逆向きに先端が突出する逆Ｊ字状の第２のフック２２と、第１のフック及び第２のフックの下方に設けられた、物品を掛け止めるＪ字状に設けられた第３のフック２４とからなることを特徴とし、また、第１のフックと第２のフックとの係止される部分の高さが異なることを特徴とし、さらに、第３のフックの先端の突出方向が、第１のフック又は第２のフックの係止される部分の高さの高い方と同じ側であることを特徴とする。【選択図】図２
0003199624.tif 000002
【実用新案登録請求の範囲】
【請求項１】
物品を壁や天井から吊り下げるための引掛けフックにおいて、
逆Ｊ字状の第１のフックと、
該第１のフックとは逆向きに先端が突出する逆Ｊ字状の第２のフックと、
該第１のフック及び該第２のフックの下方に設けられた、該物品を掛け止めるＪ字状に設けられた第３のフックとからなることを特徴とする引掛けフック。
【請求項２】
前記第１のフックと前記第２のフックとの係止される部分の高さが異なることを特徴とする請求項１の引掛けフック。
【請求項３】
前記第３のフックの先端の突出方向が、前記第１のフック又は前記第２のフックの係止される部分の高さの高い方と同じ側であることを特徴とする請求項２記載の引掛けフック。
【請求項４】
前記第３のフックの先端の突出方向が、前記第１のフック又は前記第２のフックの係止される部分の高さの低い方と同じ側であることを特徴とする請求項２記載の引掛けフック。
【考案の詳細な説明】
【技術分野】
【０００１】
本考案は、物品を壁や天井から吊り下げるための引掛けフックに関する。
【背景技術】
【０００２】
従来より、壁や天井に物品を吊り下げるために、各種の引掛けフックが用いられている。例えば、特許文献１に示すようなＳ字状のＳ字型フックである。このＳ字型フックは、鉄やステンレス鋼を略Ｓ字状に湾曲されたものである。
【先行技術文献】
【特許文献】
【０００３】
【特許文献１】実用新案登録第３１７１３２２号公報
【考案の概要】
【考案が解決しようとする課題】
【０００４】
しかしながら、従来のＳ字型フックでは、物品を高いところに吊り上げたい場合、Ｓ字型フックを予め高い位置に吊り上げておいたにしても、物品をＳ字型フックに吊り上げた状態で、物品をＳ字型フックごと持ち上げたにしろ、人が手でＳ字型フックを持った状態で高いところに持ち上げる必要がある。しかしながら、人の手の届かない高いところに吊り下げたい場合には、台を用いて高いところに手が届くような状態にするなり、容易には高いところに物品を吊り下げることができない。
【０００５】
また、高いところに物品を吊り下げるにあたり、Ｓ字型フックの上方のフックに棒などを掛けて棒を用いてＳ字型フックを持ち上げることも可能であるが、上方のフック自体が係止されるものであることから、係止する時に棒が邪魔になって吊り下げにくいという問題がある。
【０００６】
本考案は、このような事情に鑑みてなされたもので、高いところであっても、物品を吊り下げやすい引掛けフックを提供することにある。
【課題を解決するための手段】
【０００７】
請求項１記載の引掛けフックは、逆Ｊ字状の第１のフックと、第１のフックとは逆向きに先端が突出する逆Ｊ字状の第２のフックと、第１のフック及び第２のフックの下方に設けられた、物品を掛け止めるＪ字状に設けられた第３のフックとからなることを特徴とする。
【０００８】
請求項２記載の引掛けフックは、第１のフックと第２のフックとの係止される部分の高さが異なることを特徴とする。
【０００９】
請求項３記載の引掛けフックは、第３のフックの先端の突出方向が、第１のフック又は第２のフックの係止される部分の高さの高い方と同じ側であることを特徴とする。
【００１０】
請求項４記載の引掛けフックは、第３のフックの先端の突出方向が、第１のフック又は第２のフックの係止される部分の高さの低い方と同じ側であることを特徴とする。
【考案の効果】
【００１１】
請求項１記載の引掛けフックによれば、上方の第１のフック及び第２のフックの２つがあり、高い場所でも物品を容易に吊り下げることが可能である。
【００１２】
請求項２〜請求項４記載の引掛けフックによれば、第１のフックと第２のフックとの係止される部分の高さが異なることから、壁や天井の吊り下げる場所の状況に応じて、引っ掛ける側を任意に選択することで、より一層物品を容易に吊り下げることが可能である。
【図面の簡単な説明】
【００１３】
【図１】本考案に係る引掛けフックの一例を示す説明図である。
【図２】本考案に係る引掛けフックの他の例を示す説明図である。
【図３】本考案に係る引掛けフックのさらに他の例を示す説明図である。
【図４】同引掛けフックの使用方法を示す説明図である。
【考案を実施するための形態】
【００１４】
以下、本考案の形態について図面を参照しながら具体的に説明する。図１は、本考案に係る引掛けフックの一例を示す説明図である。図２は、本考案に係る引掛けフックの他の例を示す説明図である。図３は、本考案に係る引掛けフックのさらに他の例を示す説明図である。図４は、同引掛けフックの使用方法を示す説明図である。
【００１５】
本実施の形態に係る引掛けフック１，２，３は、壁や天井に設けられた梁や横棒やフック８等に引掛けてハンガーや掛け軸等の物品を、壁や天井から吊り下げるためのものである。尚、壁や天井だけでなく、例えばタンスの内部であったり、物品を引掛けて吊す必要がある場所に用いることができるものであり、使用する場所によって制限されるものではない。また、物品も、吊すことができるものであれば何でもよく、制限されるものではない。
【００１６】
以下、各図に示される引掛けフック１，２，３の３つの形態について説明する。引掛けフック１，２，３は、基本的に、逆Ｊ字状の第１のフック１０，２０，３０と、第１のフック１０，２０，３０とは逆向きに先端が突出する逆Ｊ字状の第２のフック１２，２２，３２と、第１のフック１０，２０，３０及び第２のフック１２，２２，３２の下方に設けられた、物品を掛け止めるＪ字状に設けられた第３のフック１４，２４，３４とからなる。
【００１７】
引掛けフック１，２，３の材質は、金属、樹脂、木材等、物品を壁や天井から吊り下げることができるものであれば良く、限定されるものではない。図の例の引掛けフック１，２，３は、針金状の金属材料を湾曲させて形成させており、製造のしやすさでは、このような形態が優れているが、図に示す形態に限るものではない。また、図に示す引掛けフック１，２，３は、第１のフック１０，２０，３０及び第２のフック１２，２２，３２と、第３のフック１４，２４，３４との間に直線部分の本体部１６，２６，３６を有しているが、本体部１６，２６，３６を有することで、引掛け易い場合も考えられるが、本体部１６，２６，３６の有無は、任意である。
【００１８】
引掛けフック１は、第１のフック１０の係止される部分と、第２のフック１２の係止される部分の高さが略同一の形状である。これに対し、引掛けフック２及び引掛けフック３は、図２の矢線又は図３の矢線に示すように、第１のフック２０，３０と第２のフック２２，３２との係止される部分の高さが異なる形状である。
【００１９】
そして、引掛けフック２は、第３のフック２４の先端の突出方向が、第１のフック２０又は第２のフック２２の係止される部分の高さの高い方と同じ側である。すなわち、高い側の第１のフック２０と同じ側に突出している。
【００２０】
引掛けフック３は、第３のフック３４の先端の突出方向が、第１のフック３０又は第２のフック３２の係止される部分の高さの低い方と同じ側である。すなわち、低い側の第２のフック３２と同じ側に突出している。
【００２１】
尚、図の例では、引掛けフック１，２，３を平面視したときに、第１のフック１０，２０，３０、第２のフック１２，２２，３２及び第３のフック１４，２４，３４が、一直線上に並んでいるが、この第１のフック１０，２０，３０、第２のフック１２，２２，３２及び第３のフック１４，２４，３４が平面視で突出する角度は、任意であり制限されるものではない。
【００２２】
次に、引掛けフック３（図４）を用いて、本願の引掛けフック１，２，３の代表的な使用方法を説明する。高いところに物品４を吊す場合、例えば、まず手元で引掛けフック３の第３のフック３４に物品４を掛ける。次に、高さの低い方の第２のフック３２に棒６の先端を当て、物品４ごと引掛けフック３を棒６で高い位置に押し上げる。そして、引掛けフック３の第１のフック３０を高い場所のフック８に掛けることで、物品４が、引掛けフック３を介して高い場所に吊されることになる。尚、手で引掛けフック１，２，３を持ち上げて使用してもかまわない。
【００２３】
以上のような構成の引掛けフック１，２，３によれば、上方の第１のフック１０，２０，３０及び第２のフック１２，２２，３２の２つがあり、一方の第１のフック１０，２０，３０又は第２のフック１２，２２，３２を支えながら持ち上げることができ、高い場所でも物品を容易に吊り下げることが可能である。
【００２４】
さらに、第１のフック１０，２０，３０と第２のフック１２，２２，３２との係止される部分の高さを変えたり、第３のフック１４，２４，３４の突出する向きを変えることで、壁や天井の吊り下げる場所の状況に応じて、引っ掛ける側を任意に選択することができより一層物品を容易に吊り下げることが可能である。
【産業上の利用可能性】
【００２５】
本考案により、高いところであっても、物品を吊り下げやすい引掛けフックを提供することができる。
【符号の説明】
【００２６】
１・・・・引掛けフック
２・・・・引掛けフック
３・・・・引掛けフック
４・・・・物品
６・・・・棒
８・・・・フック
１０・・・第１のフック
１２・・・第２のフック
１４・・・第３のフック
１６・・・本体部
２０・・・第１のフック
２２・・・第２のフック
２４・・・第３のフック
２６・・・本体部
３０・・・第１のフック
３２・・・第２のフック
３４・・・第３のフック
３６・・・本体部
【図１】
0003199624.tif 000003
【図２】
0003199624.tif 000004
【図３】
0003199624.tif 000005
【図４】
0003199624.tif 000006